(57)【特許請求の範囲】
【請求項１】
車室内にホワイトボードが書き込み可能に設けられた自動車の車室構造において、
前記車室内に臨む開口が形成された収納部と前記開口を閉塞する蓋とを有する収納箱が、前記車室の前部に設けられ、前記ホワイトボードは、前記蓋に設けられており、
前記蓋は、前記ホワイトボードの書込面を露出させた状態で前記書込面の周縁部を支持した枠体と、前記ホワイトボードの裏面を支持し前記枠体とにより前記ホワイトボードを挟持した支持部材と、前記枠体と前記支持部材とに架け渡されこれら枠体と支持部材とを連結した連結片と、を有し、前記連結片は、前記ホワイトボードの縦方向及び横方向の位置決めをしていることを特徴とする自動車の車室構造。
【請求項２】
前記ホワイトボードは、該ホワイトボードの書込面に対して磁石が貼り付き可能な磁性を有していることを特徴とする請求項１に記載の自動車の車室構造。
【発明の詳細な説明】
【技術分野】
【０００１】
本発明は、自動車の車室構造に関する。
【背景技術】
【０００２】
特許文献１には、自動車の車室に取り付けられた収納ケースに、テーブルを引き出し自在に設けた構成のメモホルダが記載されている。
【０００３】
このメモホルダでは、収納ケースからテーブルを引き出し、テーブル上にメモ用紙を載置した状態で、メモ用紙にメモを取ることができる。
【特許文献１】特開平１１−３４２７９６号公報
【発明の開示】
【発明が解決しようとする課題】
【０００４】
しかしながら、特許文献１に記載のメモホルダを用いるには、予めメモ用紙を用意しておかなければならず、面倒であるという問題がある。
【０００５】
そこで、本発明は、自動車の車室内で容易にメモを取ることができるようにすることを目的とする。
【課題を解決するための手段】
【０００６】
本発明は、車室内にホワイトボードが書き込み可能に設けられた自動車の車室構造において、前記車室内に臨む開口が形成された収納部と前記開口を閉塞する蓋とを有する収納箱が、前記車室の前部に設けられ、前記ホワイトボードは、前記蓋に設けられており、前記蓋は、前記ホワイトボードの書込面を露出させた状態で前記書込面の周縁部を支持した枠体と、前記ホワイトボードの裏面を支持し前記枠体とにより前記ホワイトボードを挟持した支持部材と、前記枠体と前記支持部材とに架け渡されこれら枠体と支持部材とを連結した連結片と、を有し、前記連結片は、前記ホワイトボードの縦方向及び横方向の位置決めをしていることを特徴とする。
【発明の効果】
【０００７】
本発明によれば、ホワイトボードを用いてメモを取ることができるので、メモを取る為にメモ用紙を用意する必要がなく、よって、容易にメモを取ることができる。また、本発明によれば、連結片が、ホワイトボードの縦方向及び横方向の位置決めをする。
【発明を実施するための最良の形態】
【０００８】
本発明の一実施形態を図面に基づいて説明する。
【０００９】
図１は、本実施形態にかかる自動車の車室構造を示す斜視図である。図１に示すように、自動車の車室１の前部には、車幅方向に延在するインストルメントパネル２が設けられている。このインストルメントパネル２は、車幅方向に並設された運転席及び助手席の前方に配置されている。
【００１０】
インストルメントパネル２には、ホワイトボード３を有する収納箱４が車幅方向で運転席と助手席との間に設けられている。また、インストルメントパネル２には、収納箱４よりも運転席側にハンドル装置５が配設されていると共に、収納箱４の左右近傍に空調装置の吹出口６が配設されている。さらに、インストルメントパネル２には、収納箱４の下側にオーディオユニット７が配設されている。
【００１１】
図２は、蓋９が閉められた状態の収納箱４を示す斜視図、図３は、蓋９が開けられた状態の収納箱４を示す斜視図、図４は、図２おけるＡ−Ａ線断面図、図５は、収納箱４の蓋９の内部構造を支持部材を外して裏側から見て示す平面図である。
【００１２】
図２及び図３に示すように、収納箱４は、インストルメントパネル２内に配設された収納部８と、蓋９とを有している。収納部８には、車室１内に臨む開口８ａが形成されており、この開口８ａから収納部８に物を出し入れ可能となっている。
【００１３】
蓋９は、図示しないヒンジを介して収納部８に開閉自在に設けられ、閉じ状態で開口８ａを閉塞する。この蓋９に、ホワイトボード３が設けられている。
【００１４】
図２ないし図５に示すように、蓋９は、枠体１０と、支持部材１１と、これら枠体１０と支持部材１１とに架け渡され枠体１０と支持部材１１とを連結した連結片であるリブ１２とを有している。この蓋９は、枠体１０と支持部材１１とによってホワイトボード３を挟持している。枠体１０、支持部材１１及びリブ１２は、樹脂製である。
【００１５】
枠体１０は、ホワイトボード３の書込面３ａを露出させた状態で書込面３ａの周縁部を支持している。
【００１６】
支持部材１１は、プレート１３と、このプレート１３の表面に突設された複数のピン１４とを有している。ピン１４は、ホワイトボード３の裏面３ｂを支持しており、このピン１４と枠体１０とでホワイトボード３を挟持している。詳しくは、ピン１４は、可塑性を有しており、ホワイトボード３の裏面３ｂを支持する際にピン１４が撓み、この撓みによりピン１４がホワイトボード３を強圧し、ピン１４と枠体１０とによってホワイトボード３を挟持している。
【００１７】
リブ１２は、枠体１０の裏面の左右側部に一体成形されていると共に、支持部材１１の表面に対しては振動溶着などの手段によって固定されている。
【００１８】
ホワイトボード３は、ベースプレート１５の表面に書込層１６が貼り付けられて構成されている。そして、ホワイトボード３は、書込層１６の表面が書込面３ａとなっており、書込面３ａにペンやマーカーなどの筆記具（図示せず）によって文字や絵などの画像を描画可能であると共に描画された画像を消去可能なものである。このホワイトボード３は、図１に示すように、蓋９が閉じられた状態で書込面３ａが車室１の内方に向いており、且つ、車幅方向で運転席と助手席との間に配置されているので、運転席や助手席から乗員による書き込みが可能となっている。また、ベースプレート１５は、磁性材料である鉄製であり、ホワイトボード３では、ベースプレート１５が有する磁性によって、書込面３ａに対して磁石（図示せず）が貼り付き可能となっている。
【００１９】
このホワイトボード３の左右の側部には、リブ１２に係止された複数の切欠部１７が形成されており、ホワイトボード３は、リブ１２によってその縦方向（図５で紙面上下方向）及び横方向（図５で紙面左右方向）の位置決めをされている。ここで、切欠部１７とリブ１２とは、相互にタイトに係止されている。
【００２０】
以上説明した本実施形態によれば、車室１内にホワイトボード３が書き込み可能に設けられていることにより、乗員は、筆記具を用いて文字や絵などの画像をホワイトボード３に書き込むことによってメモを取ることができる。したがって、メモを取る為にメモ用紙を用意する必要が無いので、自動車の車室１内で容易にメモを取ることができる。
【００２１】
また、本実施形態によれば、インストルメントパネル２に設けられた収納箱４の蓋９にホワイトボード３が設けられていることにより、スペース効率が良好である。
【００２２】
また、本実施形態では、切欠部１７とリブ１２とが相互にタイトに係止されていると共に、ピン１４と枠体１０とによってホワイトボード３を挟持していることにより、ホワイトボード３の位置決めが可能となる、及び、ホワイトボード３ががたつくこと無く蓋９に支持される。
【００２３】
また、本実施形態では、蓋９において、支持部材１１と枠体１０とに架け渡され支持部材１１と枠体１０とを連結したリブ１２が、ホワイトボード３の縦方向及び横方向の位置決めをしている。したがって、ホワイトボード３の縦方向及び横方向の位置決めをする部材をリブ１２とは別に設ける場合に比べて、蓋９の構造を簡素化することができる。
【００２４】
また、本実施形態によれば、ホワイトボード３は、書込面３ａに対して磁石が貼り付き可能な磁性を有していることにより、ホワイトボード３と磁石とよって書類や紙幣などを挟持することができるので、ホワイトボード３の利便性が向上する。
【００２５】
また、本実施形態によれば、ホワイトボード３が車幅方向で運転席と助手席との間に設けられていることにより、運転席と助手席とのどちらからでもホワイトボード３に容易に書き込みができる。
【００２６】
なお、本発明は、本実施形態に限ることなく本発明の要旨を逸脱しない範囲で他の実施形態を各種採用することができる。例えば、本実施形態では、ホワイトボード３がインストルメントパネル２に設けられている例を説明したが、ホワイトボード３は、例えばコンソールボックス（図示せず）などに設けられていても良い。
【図面の簡単な説明】
【００２７】
【図１】本発明の一実施形態にかかる自動車の車室構造を示す斜視図である。
【図２】本発明の一実施形態にかかる蓋が閉められた状態の収納箱を示す斜視図である。
【図３】本発明の一実施形態にかかる蓋が開けられた状態の収納箱を示す斜視図である。
【図４】図２おけるＡ−Ａ線断面図である。
【図５】本発明の一実施形態の収納箱の蓋の内部構造を支持部材を外して裏側から見て示す平面図である。
【符号の説明】
【００２８】
１    車室
２    インストルメントパネル
３    ホワイトボード
３ａ  書込面
３ｂ  裏面
８    収納部
８ａ  開口
９    蓋
１０  枠体
１１  支持部材
１２  リブ（連結片）
【図１】
0004728167.tif 000002
【図２】
0004728167.tif 000003
【図３】
0004728167.tif 000004
【図４】
0004728167.tif 000005
【図５】
0004728167.tif 000006